(57)【要約】【課題】製造歩留まりの低下を抑制することが可能な液晶表示装置を提供する。【解決手段】第１アレイ領域及び第２アレイ領域を有する第１基板であって、前記第１アレイ領域の外周に沿って配置された第１電源配線と、前記第２アレイ領域に配置された画素電極と、前記第２アレイ領域の外周に沿って配置された第２電源配線と、前記第２アレイ領域に配置され前記第２電源配線と電気的に接続された給電パッドと、を備えた第１基板と、前記第１基板に対向配置される第２基板であって、前記画素電極と対向し前記給電パッドの上方に延在した共通電極を備えた第２基板と、前記画素電極と前記共通電極との間に介在した液晶層と、前記給電パッドと前記共通電極とを電気的に接続する導電部材と、を備え、前記給電パッドは、前記第１アレイ領域と前記第２アレイ領域との境界を挟んで前記第１電源配線と反対側に位置し、前記第１電源配線と対向するコーナー部が弧状に形成された液晶表示装置。【選択図】図８
2013218237.tif 000002
【特許請求の範囲】
【請求項１】
第１アレイ領域及び前記第１アレイ領域に隣接した第２アレイ領域を有する第１基板であって、前記第１アレイ領域の外周に沿って配置された第１電源配線と、前記第２アレイ領域に配置された画素電極と、前記第２アレイ領域の外周に沿って配置された第２電源配線と、前記第２アレイ領域に配置され前記第２電源配線と電気的に接続された給電パッドと、を備えた第１基板と、
前記第１基板に対向配置される第２基板であって、前記画素電極と対向し前記給電パッドの上方に延在した共通電極を備えた第２基板と、
前記画素電極と前記共通電極との間に介在した液晶層と、
前記給電パッドと前記共通電極とを電気的に接続する導電部材と、を備え、
前記給電パッドは、前記第１アレイ領域と前記第２アレイ領域との境界を挟んで前記第１電源配線と反対側に位置し、しかも、前記第１電源配線と対向するコーナー部が弧状に形成されたことを特徴とする液晶表示装置。
【請求項２】
前記第２電源配線は、前記給電パッドの直下に位置する給電電極を備え、前記給電電極の前記第１電源配線と対向するコーナー部が弧状に形成されたことを特徴とする請求項１に記載の液晶表示装置。
【請求項３】
前記第１電源配線において、前記給電パッドと対向する屈曲部が弧状に形成されたことを特徴とする請求項１または２に記載の液晶表示装置。
【請求項４】
前記境界に沿った前記第１電源配線は、前記給電パッドと対向する位置で前記境界から離れる側に屈曲したことを特徴とする請求項３に記載の液晶表示装置。
【請求項５】
第１端部、第２端部、第３端部、及び、第４端部を有する四角形状の第１基板であって、画素電極と、前記第１端部に配置されたコモン電位の第１コモン端子及び第２コモン端子と、前記第１コモン端子に接続され前記第２端部、前記第３端部、及び、前記第４端部の順に延在し前記第２コモン端子に接続された電源配線と、前記第２端部に配置され前記電源配線と電気的に接続された給電パッドと、を備えた前記第１基板と、
前記第１基板に対向配置される第２基板であって、前記画素電極と対向し前記給電パッドの上方に延在した共通電極を備えた第２基板と、
前記画素電極と前記共通電極との間に介在した液晶層と、
前記給電パッドと前記共通電極とを電気的に接続する導電部材と、を備え、
前記給電パッドは、前記第２端部に沿った第１エッジ側に位置するコーナー部が弧状に形成されたことを特徴とする液晶表示装置。
【請求項６】
前記電源配線は、前記給電パッドの直下に位置する給電電極を備え、前記給電電極の前記第１エッジ側に位置するコーナー部が弧状に形成されたことを特徴とする請求項５に記載の液晶表示装置。
【請求項７】
前記第４端部に位置する前記電源配線は、前記第４端部に沿った第２エッジから離れる側に屈曲した屈曲部が弧状に形成されたことを特徴とする請求項５または６に記載の液晶表示装置。
【請求項８】
前記コーナー部及び前記屈曲部は、前記第２基板と対向し、前記第２基板の端部から略同等の距離に位置していることを特徴とする請求項７に記載の液晶表示装置。
【発明の詳細な説明】
【技術分野】
【０００１】
本発明の実施形態は、液晶表示装置に関する。
【背景技術】
【０００２】
液晶表示装置は、軽量、薄型、低消費電力などの特徴を生かして、パーソナルコンピュータなどのＯＡ機器やテレビなどの表示装置として各種分野で利用されている。近年では、液晶表示装置は、携帯電話やＰＤＡ（ｐｅｒｓｏｎａｌ  ｄｉｇｉｔａｌ  ａｓｓｉｓｔａｎｔ）などの携帯情報端末機器、カーナビゲーション装置、ゲーム機などの表示装置としても利用されている。
【０００３】
このような液晶表示装置を製造する過程においては、静電気対策が不可欠である。例えば、製造過程で発生した静電気や外部から侵入した静電気により、アクティブエリア内の各種配線やスイッチング素子を含む回路などにダメージを与えるおそれがある。例えば、一方の基板から他方の基板に電位を供給するための給電部に多角形状の給電パッドが設けられ、また、これに隣接して屈曲部を持ったコモン配線などの配線が配置された状態では、給電部や配線に侵入した静電気が給電パッドの角部や配線の屈曲部に集中して放電しやすく、付近の配線や回路を破壊するおそれがある。このような静電気に対する耐性を向上するための手法が種々検討されている。
【先行技術文献】
【特許文献】
【０００４】
【特許文献１】特開２０１１−１５８６６３号公報
【発明の概要】
【発明が解決しようとする課題】
【０００５】
本実施形態の目的は、製造歩留まりの低下を抑制することが可能な液晶表示装置を提供することにある。
【課題を解決するための手段】
【０００６】
本実施形態によれば、
第１アレイ領域及び前記第１アレイ領域に隣接した第２アレイ領域を有する第１基板であって、前記第１アレイ領域の外周に沿って配置された第１電源配線と、前記第２アレイ領域に配置された画素電極と、前記第２アレイ領域の外周に沿って配置された第２電源配線と、前記第２アレイ領域に配置され前記第２電源配線と電気的に接続された給電パッドと、を備えた第１基板と、前記第１基板に対向配置される第２基板であって、前記画素電極と対向し前記給電パッドの上方に延在した共通電極を備えた第２基板と、前記画素電極と前記共通電極との間に介在した液晶層と、前記給電パッドと前記共通電極とを電気的に接続する導電部材と、を備え、前記給電パッドは、前記第１アレイ領域と前記第２アレイ領域との境界を挟んで前記第１電源配線と反対側に位置し、しかも、前記第１電源配線と対向するコーナー部が弧状に形成されたことを特徴とする液晶表示装置が提供される。
【０００７】
また、本実施形態によれば、
第１端部、第２端部、第３端部、及び、第４端部を有する四角形状の第１基板であって、画素電極と、前記第１端部に配置されたコモン電位の第１コモン端子及び第２コモン端子と、前記第１コモン端子に接続され前記第２端部、前記第３端部、及び、前記第４端部の順に延在し前記第２コモン端子に接続された電源配線と、前記第２端部に配置され前記電源配線と電気的に接続された給電パッドと、を備えた前記第１基板と、前記第１基板に対向配置される第２基板であって、前記画素電極と対向し前記給電パッドの上方に延在した共通電極を備えた第２基板と、前記画素電極と前記共通電極との間に介在した液晶層と、前記給電パッドと前記共通電極とを電気的に接続する導電部材と、を備え、前記給電パッドは、前記第２端部に沿った第１エッジ側に位置するコーナー部が弧状に形成されたことを特徴とする液晶表示装置が提供される。
【図面の簡単な説明】
【０００８】
【図１】図１は、本実施形態における液晶表示装置の構成を模式的に示す図である。
【図２】図２は、図１に示した液晶表示パネルの構成及び等価回路を概略的に示す図である。
【図３】図３は、図２に示した給電パッドを拡大した平面図である。
【図４】図４は、図２に示した第４端部の電源配線を拡大した平面図である。
【図５】図５は、図２に示した液晶表示パネルの一画素における断面構造を概略的に示す図である。
【図６】図６は、アレイ基板から対向基板側への給電構造を説明するための概略断面図である。
【図７】図７は、本実施形態の液晶表示パネルを構成するアレイ基板を製造するための第１基板の構成を説明するための平面図である。
【図８】図８は、図７に示した第１基板の境界を介して対向する電源配線及び給電パッドを拡大した平面図である。
【発明を実施するための形態】
【０００９】
以下、本実施形態について、図面を参照しながら詳細に説明する。なお、各図において、同一又は類似した機能を発揮する構成要素には同一の参照符号を付し、重複する説明は省略する。
【００１０】
図１は、本実施形態における液晶表示装置の構成を模式的に示す図である。
【００１１】
すなわち、液晶表示装置１は、アクティブマトリクスタイプの液晶表示パネルＬＰＮ、液晶表示パネルＬＰＮに接続された駆動ＩＣチップ２及びフレキシブルプリント回路基板３などを備えている。
【００１２】
液晶表示パネルＬＰＮは、四角形状のアレイ基板（第１基板）ＡＲと、アレイ基板ＡＲに対向して配置された四角形状の対向基板（第２基板）ＣＴと、これらのアレイ基板ＡＲと対向基板ＣＴとの間に保持された液晶層ＬＱと、を備えて構成されている。このような液晶表示パネルＬＰＮは、画像を表示するアクティブエリアＡＣＴを備えている。このアクティブエリアＡＣＴは、例えば四角形状であり、ｍ×ｎ個のマトリクス状に配置された複数の画素ＰＸによって構成されている（但し、ｍ及びｎは正の整数である）。
【００１３】
アレイ基板ＡＲは、対向基板ＣＴの端部ＣＴＥよりも外側に延在した延在部ＡＲＥを有している。駆動ＩＣチップ２及びフレキシブルプリント回路基板３は、画素ＰＸの駆動に必要な信号を供給する信号供給源として機能し、アレイ基板ＡＲの延在部ＡＲＥに実装されている。
【００１４】
図２は、図１に示した液晶表示パネルＬＰＮの構成及び等価回路を概略的に示す図である。
【００１５】
アレイ基板ＡＲは、四角形状のアクティブエリアＡＣＴを囲む第１端部Ｅ１、第２端部Ｅ２、第３端部Ｅ３、及び、第４端部Ｅ４を有している。第１端部Ｅ１及び第３端部Ｅ３は、互いに対向し、それぞれ第１方向Ｘに沿って延出している。第２端部Ｅ２及び第４端部Ｅ４は、互いに対向し、それぞれ第１方向Ｘに直交する第２方向Ｙに沿って延出している。第１端部Ｅ１は、延在部ＡＲＥに含まれる。第２端部Ｅ２、第３端部Ｅ３、及び、第４端部Ｅ４は、対向基板ＣＴと対向している。
【００１６】
アレイ基板ＡＲは、アクティブエリアＡＣＴにおいて、ｎ本のゲート配線Ｇ（Ｇ１〜Ｇｎ）、ｎ本の補助容量線Ｃ（Ｃ１〜Ｃｎ）、ｍ本のソース配線Ｓ（Ｓ１〜Ｓｍ）などを備えている。ゲート配線Ｇ及び補助容量線Ｃは、例えば、第１方向Ｘに沿って略直線的に延出している。ソース配線Ｓは、ゲート配線Ｇ及び補助容量線Ｃと絶縁膜を介して交差している。ソース配線Ｓは、第２方向Ｙに沿って略直線的に延出している。
【００１７】
各ゲート配線Ｇは、アクティブエリアＡＣＴの外側に引き出され、ゲートドライバＧＤに接続されている。各補助容量線Ｃは、アクティブエリアＡＣＴの外側に引き出され、補助容量電圧を印加するための電圧印加部ＣＤに接続されている。各ソース配線Ｓは、アクティブエリアＡＣＴの外側に引き出され、ソースドライバＳＤに接続されている。これらのゲートドライバＧＤ、電圧印加部ＣＤ、ソースドライバＳＤなどは、アレイ基板ＡＲに形成されている。
【００１８】
各画素ＰＸは、スイッチング素子ＳＷ、画素電極ＰＥ、共通電極ＣＥなどを備えている。スイッチング素子ＳＷ及び画素電極ＰＥは、アレイ基板ＡＲに備えられている。共通電極ＣＥは、対向基板ＣＴに備えられている。保持容量ＣＳは、例えば、画素電極ＰＥと補助容量線Ｃとの間に形成される。
【００１９】
スイッチング素子ＳＷは、例えば、ｎチャネル薄膜トランジスタ（ＴＦＴ）によって構成されている。このスイッチング素子ＳＷは、ゲート配線Ｇ及びソース配線Ｓと電気的に接続されている。このようなスイッチング素子ＳＷは、トップゲート型あるいはボトムゲート型のいずれであっても良い。また、スイッチング素子ＳＷの半導体層は、ポリシリコンあるいはアモルファスシリコンによって形成されている。
【００２０】
画素電極ＰＥは、各画素ＰＸに配置され、スイッチング素子ＳＷに電気的に接続されている。共通電極ＣＥは、例えばコモン電位であり、液晶層ＬＱを介して複数の画素ＰＸの画素電極ＰＥに対して共通に配置されている。画素電極ＰＥ及び共通電極ＣＥは、例えば、インジウム・ティン・オキサイド（ＩＴＯ）やインジウム・ジンク・オキサイド（ＩＺＯ）などの光透過性を有する導電材料によって形成されている。
【００２１】
また、アレイ基板ＡＲは、アクティブエリアＡＣＴの外側に、複数の端子Ｔ、電源配線ＰＬ、給電パッドＰＰなどを備えている。複数の端子Ｔは、フレキシブルプリント回路基板を接続するための端子であり、アレイ基板ＡＲの延在部ＡＲＥに配置されている。このような端子Ｔには、コモン電位のコモン端子Ｔ１及びＴ２が含まれる。電源配線ＰＬは、例えば、アクティブエリアＡＣＴを囲むようにアレイ基板ＡＲの最外周に沿って配置され、コモン端子Ｔ１及びＴ２に接続されている。この電源配線ＰＬは、コモン電位を供給する給電配線あるいはガードリングとして機能する。給電パッドＰＰは、アレイ基板ＡＲの対向基板ＣＴと対向する位置に配置され、電源配線ＰＬと電気的に接続されている。この給電パッドＰＰは、共通電極ＣＥと電気的に接続されている。
【００２２】
図示した例では、給電パッドＰＰは、第２端部Ｅ２に配置されている。また、電源配線ＰＬは、その一端がコモン端子Ｔ１に接続され、第２端部Ｅ２、第３端部Ｅ３、及び、第４端部Ｅ４の順に延在し、その他端がコモン端子Ｔ２に接続されている。第２端部Ｅ２に位置する電源配線ＰＬは、第２方向Ｙに沿って延出し、その中途部で給電パッドＰＰと電気的に接続されている。第３端部Ｅ３に位置する電源配線ＰＬは、第１方向Ｘに沿って延出している。第４端部Ｅ４に位置する電源配線ＰＬは、第２方向Ｙに沿って延出している。また、電源配線ＰＬは、第２端部Ｅ２と第３端部Ｅ３とが交差するコーナーＣ１、及び、第３端部Ｅ３と第４端部Ｅ４とが交差するコーナーＣ２において、曲線状（あるいは円弧状）に形成されている。
【００２３】
図３は、図２に示した給電パッドＰＰを拡大した平面図である。なお、ここでは、説明に必要な構成のみを図示している。
【００２４】
給電パッドＰＰは、概ね多角形状に形成されているが、第２端部Ｅ２に沿ったアレイ基板ＡＲのエッジＥＤ１側に位置するコーナー部が弧状に形成されている。図示した例では、給電パッドＰＰは、概ね四角形状であり、エッジＥＤ１側に２つのコーナー部ＰＣ１及びＰＣ２を有しているが、いずれも丸みを帯びた弧状に形成されている。つまり、コーナー部ＰＣ１及びＰＣ２は、鋭角、直角、鈍角のいずれでもない。
【００２５】
電源配線ＰＬは、給電パッドＰＰの直下に位置する給電電極ＥＬを備えている。つまり、給電電極ＥＬは、電源配線ＰＬの一部であり、電源配線ＰＬと一体的に形成されている。給電パッドＰＰは、給電電極ＥＬと同一形状であるとは限らず、また、給電電極ＥＬに完全に重なる位置関係にあるとも限らない。この給電パッドＰＰは、コンタクトホールＣＨを介して給電電極ＥＬにコンタクトしている。
【００２６】
給電電極ＥＬは、概ね多角形状に形成されているが、エッジＥＤ１側に位置するコーナー部が弧状に形成されている。図示した例では、給電電極ＥＬは、概ね四角形状であり、エッジＥＤ１側に２つのコーナー部ＥＣ１及びＥＣ２を有しているが、いずれも丸みを帯びた弧状に形成されている。つまり、コーナー部ＥＣ１及びＥＣ２は、鋭角、直角、鈍角のいずれでもない。
【００２７】
導電部材ＣＭは、給電パッドＰＰの上に位置し、給電パッドＰＰと図示を省略した共通電極とを電気的に接続している。
【００２８】
図４は、図２に示した第４端部Ｅ４の電源配線ＰＬを拡大した平面図である。なお、ここでは、説明に必要な構成のみを図示している。
【００２９】
第４端部Ｅ４に位置する電源配線ＰＬは、概ね直線状に形成されているが、第４端部Ｅ４に沿ったアレイ基板ＡＲのエッジＥＤ２から離れる側に屈曲した屈曲部が弧状に形成されている。図示した例では、電源配線ＰＬは、対向基板ＣＴと対向する位置において、コモン端子Ｔ２から離れた位置では、エッジＥＤ２の近くで直線状に形成されており、対向基板端部ＣＴＥよりも手前の屈曲部ＰＢ１にてエッジＥＤ２から離れる側に屈曲し、さらに、対向基板端部ＣＴＥ付近の屈曲部ＰＢ２にて再度屈曲し、延在部ＡＲＥに直線的に引き出され、コモン端子Ｔ２に接続されている。これらの屈曲部ＰＢ１及びＰＢ２は、いずれも丸みを帯びた弧状に形成されている。つまり、屈曲部ＰＢ１及びＰＢ２は、鋭角、直角、鈍角のいずれでもない。
【００３０】
対向基板端部ＣＴＥから屈曲部ＰＢ１及びＰＢ２までの第２方向Ｙに沿った距離は、同じく対向基板端部ＣＴＥから給電パッドＰＰのコーナー部ＰＣ１及びＰＣ２までの第２方向Ｙに沿った距離と略同等である。
【００３１】
図５は、図２に示した液晶表示パネルＬＰＮの一画素ＰＸにおける断面構造を概略的に示す図である。
【００３２】
すなわち、アレイ基板ＡＲは、ガラス基板やプラスチック基板などの光透過性を有する第１絶縁基板２０を用いて形成されている。このアレイ基板ＡＲは、スイッチング素子ＳＷ、画素電極ＰＥなどを備えている。ここに示したスイッチング素子ＳＷは、ボトムゲート型の薄膜トランジスタである。スイッチング素子ＳＷのゲート電極ＷＧは、ゲート配線Ｇとともに第１絶縁基板２０の上に形成されている。このゲート電極ＷＧは、ゲート配線Ｇに電気的に接続され、図示した例では、ゲート配線Ｇと一体的に形成されている。このようなゲート電極ＷＧは、第１絶縁膜２１によって覆われている。この第１絶縁膜２１は、第１絶縁基板２０の上にも配置されている。
【００３３】
スイッチング素子ＳＷの半導体層ＳＣは、例えば、アモルファスシリコンによって形成されている。この半導体層ＳＣは、第１絶縁膜２１の上に形成され、ゲート電極ＷＧの直上に位置している。スイッチング素子ＳＷのソース電極ＷＳ及びドレイン電極ＷＤは、第１絶縁膜２１の上に形成され、それぞれの少なくとも一部が半導体層ＳＣにコンタクトしている。ソース配線Ｓは、第１絶縁膜２１の上に形成されている。ソース電極ＷＳは、ソース配線Ｓに電気的に接続され、図示した例では、ソース配線Ｓと一体的に形成されている。ソース電極ＷＳ及びドレイン電極ＷＤは、ソース配線Ｓとともに第２絶縁膜２２によって覆われている。また、この第２絶縁膜２２は、第１絶縁膜２１の上にも配置されている。
【００３４】
画素電極ＰＥは、第２絶縁膜２２の上に形成されている。この画素電極ＰＥは、第２絶縁膜２２を貫通するコンタクトホールを介してドレイン電極ＷＤにコンタクトしている。このような画素電極ＰＥ及び第２絶縁膜２２は、第１配向膜２３によって覆われている。
【００３５】
一方、対向基板ＣＴは、ガラス基板やプラスチック基板などの光透過性を有する第２絶縁基板３０を用いて形成されている。この対向基板ＣＴは、第２絶縁基板３０のアレイ基板ＡＲと向かい合う側にブラックマトリクス３１、カラーフィルタ層３２、共通電極ＣＥなどを備えている。
【００３６】
ブラックマトリクス３１は、アクティブエリアＡＣＴにおいて画素ＰＸの間に形成され、アレイ基板ＡＲに形成されたスイッチング素子ＳＷやゲート配線Ｇ及びソース配線Ｓなどの各種配線部に対向している。カラーフィルタ層３２は、アクティブエリアＡＣＴにおいてブラックマトリクス３１によって区画された各画素ＰＸに配置されている。カラーフィルタ層３２の一部は、ブラックマトリクス３１に重なっている。
【００３７】
共通電極ＣＥは、アクティブエリアＡＣＴにおいて、カラーフィルタ層３２のアレイ基板ＡＲと対向する側に形成され、液晶層ＬＱを介して各画素ＰＸの画素電極ＰＥと対向している。このような共通電極ＣＥは、第２配向膜３３によって覆われている。
【００３８】
上述したようなアレイ基板ＡＲと対向基板ＣＴとは、それぞれの第１配向膜２３及び第２配向膜３３が対向するように配置されている。このとき、アレイ基板ＡＲと対向基板ＣＴとの間には、図示しないスペーサ（例えば、樹脂材料によって一方の基板に一体的に形成された柱状スペーサ）が配置され、これにより、所定のセルギャップが形成される。
【００３９】
液晶層ＬＱは、上述したセルギャップに保持されている。すなわち、液晶層ＬＱは、アレイ基板ＡＲの画素電極ＰＥと対向基板ＣＴの共通電極ＣＥとの間に介在した液晶組成物によって構成されている。
【００４０】
なお、液晶モードについて特に制限はなく、ＴＮ（Ｔｗｉｓｔｅｄ  Ｎｅｍａｔｉｃ）モード、ＯＣＢ（Ｏｐｔｉｃａｌｌｙ  Ｃｏｍｐｅｎｓａｔｅｄ  Ｂｅｎｄ）モード、ＶＡ（Ｖｅｒｔｉｃａｌ  Ａｌｉｇｎｅｄ）モードなどの主として縦電界あるいは斜め電界を利用するモードが適用可能である。
【００４１】
図６は、アレイ基板ＡＲから対向基板ＣＴ側への給電構造を説明するための概略断面図である。
【００４２】
電源配線ＰＬと一体の給電電極ＥＬは、第１絶縁基板２０の上に形成されている。電源配線ＰＬ及び給電電極ＥＬは、第１絶縁膜２１によって覆われている。第１絶縁膜２１及び第２絶縁膜２２には、給電電極ＥＬまで貫通したコンタクトホールＣＨが形成されている。給電パッドＰＰは、第２絶縁膜２２の上に形成され、コンタクトホールＣＨ２を介して、給電電極ＥＬにコンタクトしている。
【００４３】
電源配線ＰＬ及び給電電極ＥＬは、先に説明したゲート配線Ｇと同一の導電層であり、これらはゲート配線Ｇと同一の配線材料によって形成されている。給電パッドＰＰは、先に説明した画素電極ＰＥと同一層の導電層であり、画素電極ＰＥと同一の導電材料によって形成されている。
【００４４】
共通電極ＣＥは、アクティブエリアＡＣＴの外側に延在している。すなわち、共通電極ＣＥは、アクティブエリアＡＣＴでは、図５に示したように、液晶層ＬＱを介して画素電極ＰＥと対向し、図示しないシール材が配置される位置を越えて給電パッドＰＰの上方にまで延在している。
【００４５】
導電部材ＣＭは、給電パッドＰＰ及び共通電極ＣＥにコンタクトし、両者を電気的に接続している。これにより、電源配線ＰＬに印加された電圧は、給電電極ＥＬを介して給電パッドＰＰに供給され、さらに、導電部材ＣＭを介して共通電極ＣＥに給電される。
【００４６】
図７は、本実施形態の液晶表示パネルＬＰＮを構成するアレイ基板ＡＲを製造するための第１基板ＳＵＢ１の構成を説明するための平面図である。
【００４７】
アレイ基板ＡＲを形成するための第１基板ＳＵＢ１は、大型のガラス基板を用いて製造される。この第１基板ＳＵＢ１には、複数のアレイ基板ＡＲを形成するためのアレイ領域ＥＦ、…が形成されている。これらの複数のアレイ領域ＥＦは、第１方向Ｘに並んでいるとともに第２方向Ｙに並んでおり、マトリクス状に形成されている。アレイ領域ＥＦを示す図中の実線は、後に第１基板ＳＵＢ１から個別のアレイ基板ＡＲを切り取り出さす際に、第１基板ＳＵＢ１を割断する割断予定線である。つまり、各アレイ領域ＥＦは、割断予定線によって囲まれた内側の領域である。
【００４８】
各アレイ領域ＥＦは、アクティブエリアＡＣＴ及び周辺エリアＰＲＰを含んでいる。各アクティブエリアＡＣＴにおいては、例えば、ゲート配線Ｇを形成した後に、第１絶縁膜２１を形成し、ソース配線Ｓを形成するとともにスイッチング素子ＳＷを形成し、その後、第２絶縁膜２２を形成し、画素電極ＰＥを形成した後に第１配向膜２３などを形成するが、詳細な図示を省略する。各周辺エリアＰＲＰにおいては、例えば、ゲート配線Ｇを形成するのと同時に電源配線ＰＬを形成し、その後、画素電極ＰＥを形成するのと同時に給電パッドＰＰなどを形成するが、詳細な図示を省略する。
【００４９】
このようなアレイ領域ＥＦには、第１アレイ領域ＥＦ１と、第１アレイ領域ＥＦ１の第１方向Ｘに隣接した第２アレイ領域ＥＦ２とが含まれる。第１アレイ領域ＥＦ１の周辺エリアＰＲＰ１には電源配線ＰＬ１及び給電パッドＰＰ１が配置され、また、第２アレイ領域ＥＦ２の周辺エリアＰＲＰ２には電源配線ＰＬ２及び給電パッドＰＰ２が配置されている。
【００５０】
より具体的には、電源配線ＰＬ１は、アクティブエリアＡＣＴ１を囲むように第１アレイ領域ＥＦ１の外周に沿って配置されている。給電パッドＰＰ１は、電源配線ＰＬ１の中途部に電気的に接続されている。電源配線ＰＬ２は、アクティブエリアＡＣＴ２を囲むように第２アレイ領域ＥＦ２の外周に沿って配置されている。給電パッドＰＰ２は、電源配線ＰＬ２の中途部に電気的に接続されている。
【００５１】
ここで、電源配線ＰＬ１と給電パッドＰＰ２との位置関係に着目すると、給電パッドＰＰは、第１アレイ領域ＥＦ１と第２アレイ領域ＥＦ２との境界Ｂを挟んで電源配線ＰＬ１と反対側に位置している。なお、境界Ｂは、第１アレイ領域ＥＦ１と第２アレイ領域ＥＦ２とを分割する割断予定線に相当する。つまり、境界Ｂは、第１アレイ領域ＥＦ１を割断することによって形成されたアレイ基板ＡＲのエッジＥＤ２の位置、あるいは、第２アレイ領域ＥＦ２を割断することによって形成されたアレイ基板ＡＲのエッジＥＤ１の位置に相当する。
【００５２】
図８は、図７に示した第１基板ＳＵＢ１の境界Ｂを介して対向する電源配線ＰＬ１及び給電パッドＰＰ２を拡大した平面図である。
【００５３】
第１アレイ領域ＥＦ１は境界Ｂに対して図中の左側に位置し、第２アレイ領域ＥＦ２は境界Ｂに対して図中の右側に位置している。第２アレイ領域ＥＦ２において、給電パッドＰＰ２は、境界Ｂに対して電源配線ＰＬ１とは反対側に位置している。この給電パッドＰＰ２は、電源配線ＰＬ１と対向する（あるいは境界線Ｂの側に面している）２つのコーナー部ＰＣ１及びＰＣ２を有しているが、いずれのコーナー部ＰＣ１及びＰＣ２も弧状に形成されている。電源配線ＰＬ２は、給電パッドＰＰ２の直下に位置する給電電極ＥＬを備えている。この給電電極ＥＬは、電源配線ＰＬ１と対向する２つのコーナー部ＥＣ１及びＥＣ２を有しているが、いずれのコーナー部ＥＣ１及びＥＣ２も弧状に形成されている。
【００５４】
一方、第１アレイ領域ＥＦ１において、境界Ｂに沿った電源配線ＰＬ１は、概ね直線状に形成されているが、給電パッドＰＰ２と対向する位置で、境界Ｂから離れる側に屈曲している。すなわち、この電源配線ＰＬ１において、給電パッドＰＰ２と対向する２つの屈曲部ＰＢ１及びＰＢ２がいずれも弧状に形成されている。
【００５５】
このような本実施形態によれば、アレイ基板ＡＲの第２端部Ｅ２に配置された給電パッドＰＰは、第２端部Ｅ２に沿ったエッジＥＤ１側に位置するコーナー部ＰＣ１及びＰＣ２がいずれも弧状に形成されている。このような給電パッドＰＰは、アレイ基板ＡＲとして割断される前には、隣接するアレイ領域の電源配線ＰＬと対向する位置関係にあるが、電源配線ＰＬに対向する給電パッドＰＰのコーナー部ＰＣ１及びＰＣ２が弧状に形成されているため、これらのコーナー部ＰＣ１及びＰＣ２が鋭角、直角、あるいは、鈍角である場合と比較して、静電気の集中を抑制することが可能となる。また、コーナー部ＰＣ１及びＰＣ２から対向する電源配線ＰＬへの静電気の放電を抑制することが可能となる。例えば、電源配線ＰＬ２に静電気が侵入したとしても、給電パッドＰＰ２から電源配線ＰＬ１に向かう静電気の放電の発生を抑制することができ、給電パッドＰＰ２の周辺や電源配線ＰＬ１の周辺に位置する各種配線や回路の破壊を抑制することが可能となる。
【００５６】
また、給電パッドＰＰの直下には、電源配線ＰＬの一部である給電電極ＥＬが設けられているが、この給電電極ＥＬについても、エッジＥＤ１側に位置する（あるいは割断前に隣接する電源配線と対向する）コーナー部ＥＣ１及びＥＣ２が弧状に形成されているため、コーナー部ＥＣ１及びＥＣ２への静電気の集中、あるいは、コーナー部ＥＣ１及びＥＣ２から電源配線ＰＬへの静電気の放電を抑制することが可能となる。
【００５７】
また、本実施形態によれば、アレイ基板ＡＲの外周に沿って配置された電源配線ＰＬは、第４端部Ｅ４に沿ったエッジＥＤ２から離れる側に屈曲した屈曲部ＰＢ１及びＰＢ２がいずれも弧状に形成されている。このような電源配線ＰＬは、アレイ基板ＡＲとして割断される前には、隣接するアレイ領域の給電パッドＰＰと対向する位置関係にあるが、給電パッドＰＰに対向する電源配線ＰＬの屈曲部ＰＢ１及びＰＢ２が弧状に形成されているため、これらの屈曲部ＰＢ１及びＰＢ２が鋭角、直角、あるいは、鈍角である場合と比較して、静電気の集中を抑制することが可能となる。また、屈曲部ＰＢ１及びＰＢ２から対向する給電パッドＰＰへの静電気の放電を抑制することが可能となる。例えば、電源配線ＰＬ１に静電気が侵入したとしても、電源配線ＰＬ１から給電パッドＰＰ２に向かう静電気の放電の発生を抑制することができ、給電パッドＰＰ２の周辺や電源配線ＰＬ１の周辺に位置する各種配線や回路の破壊を抑制することが可能となる。
【００５８】
以上説明したように、本実施形態によれば、静電気に起因した配線や回路の破壊といった静電気不良を抑制することが可能となる。したがって、製造歩留まりの低下を抑制することが可能な液晶表示装置を提供することができる。
【００５９】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００６０】
ＬＰＮ…液晶表示パネル
ＡＲ…アレイ基板  ＰＥ…画素電極
ＣＴ…対向基板  ＣＥ…共通電極
ＬＱ…液晶層
ＰＬ…電源配線  ＰＢ１、ＰＢ２…屈曲部
ＥＬ…給電電極  ＥＣ１、ＥＣ２…コーナー部
ＰＰ…給電パッド  ＰＣ１、ＰＣ２…コーナー部
ＣＭ…導電部材
【図１】
2013218237.tif 000003
【図２】
2013218237.tif 000004
【図３】
2013218237.tif 000005
【図４】
2013218237.tif 000006
【図５】
2013218237.tif 000007
【図６】
2013218237.tif 000008
【図７】
2013218237.tif 000009
【図８】
2013218237.tif 000010